(57)【要約】【課題】画面が十分に大きく同時に多数の情報を表示できるような街頭モニタにおいて、同時に複数の携帯端末から利用できず、また、単に同時に複数の利用者からの入力を受け付けることでは、入力の混乱を招き、所望の情報を表示できないという問題があった。【解決手段】本発明は、移動端末と表示機器との間で近傍通信により通信し、移動端末から指示に従って表示機器に情報を表示する。表示機器と移動端末それぞれに、接続相手の情報を保持し、表示する優先度を設ける。同時に複数の利用者が接続した場合には、色などを移動端末ごとに異なるものにして表示することや優先度に応じて情報を整理し表示する。【選択図】図１
2005332018.tif 000002
【特許請求の範囲】
【請求項１】
交通機関の近傍に設置され、通信手段を有する表示装置と、
前記表示装置との通信をするための通信手段を有する携帯端末とからなる情報通信システムであって、
前記携帯端末は、前記表示装置との通信が成立したとき、前記表示装置が送信する交通に関する情報を前記表示装置から受信、表示し、
さらに、前記携帯端末は前記表示装置との通信が不能となったとき、若しくは前記受信から一定時間を経過したときに、前記交通に関する情報を削除することを特徴とする情報通信システム。
【請求項２】
交通機関や駅に設置され近傍との通信機能を持った一つまたは複数の表示装置と、
近傍との通信機能を持った一つまたは複数の移動端末とからなり、
前記表示装置の通信機能と前記移動端末との通信機能により前記移動端末と前記複数の表示装置との間で情報を相互にやりとりし、
前記表示装置に蓄積された情報を前記移動端末に転送し、前記移動端末単独で前記情報を表示し、
前記移動端末で前記情報を更新した場合には前記表示端末に更新した前記情報を転送することを特徴とする情報通信システム。
【請求項３】
前記表示装置あるいは前記移動端末の表示能力に応じて前記情報を表示することを特徴とする請求項２記載の情報通信システム。
【請求項４】
表示能力に応じて展開することができる情報を通信に用いることを特徴とする請求項３記載の情報通信システム。
【請求項５】
前記表示装置と複数の移動端末との間で通信を行う場合には、
前記複数の移動端末の間にて優先順位をつけ、前記優先順位に応じて前記複数の移動端末の情報を表示することを特徴とする請求項２記載の情報通信システム。
【請求項６】
前記優先順位は前記表示装置と前記移動端末との間の距離に応じて定めることを特徴とする請求項５記載の情報通信システム。
【請求項７】
前記優先順位は前記表示装置と前記移動端末との間の通信状況に応じて定めることを特徴とする請求項５記載の情報通信システム。
【請求項８】
前記移動端末は前記移動端末の移動速度の検出機能を持つことを特徴とする請求項６記載の情報通信システム。
【請求項９】
前記移動端末は他の移動端末との位置関係を表示することを特徴とする請求項６記載の情報通信システム。
【請求項１０】
前記情報は前記移動端末と前記表示装置との間での近傍の通信ができなくなった場合に、即時にあるいは一定の時間後に削除することを特徴とする請求項２記載の情報通信システム。
【請求項１１】
前記一定の時間は、前記表示装置からの転送の際に設定されることを特徴とする請求項１０記載の情報通信システム。
【請求項１２】
前記一定の時間は、前記移動端末の入力手段を用いて設定されることを特徴とする請求項１０記載の情報通信システム。
【発明の詳細な説明】
【技術分野】
【０００１】
本発明は、移動端末を利用した情報通信システムであり、携帯電話、ＰＤＡ等の機器と、街頭にあるモニタや端末などの表示機器との間で連携動作し、移動端末に格納された情報や、移動端末、表示機器を通じてサーバから取得した情報を表示機器に表示することにより、表示画面に制限がある携帯端末の情報を、より画面サイズが大きい表示機器で表示できるようにし、さらに優先度を付けて情報を表示した情報通信システムに関するものである。
【背景技術】
【０００２】
従来の情報通信システムとしては、街頭モニタ端末と移動端末との間で連携し、街頭モニタ上に表示する案内情報の選択手段として携帯電話を使ったものがあった（例えば、特許文献１参照）。
【０００３】
また、携帯電話機とデジタルテレビとを連携させて、携帯電話で受信したインターネットサービスをテレビ画面に表示するものがあった（例えば、特許文献２参照）。
【特許文献１】特開２００３−８５１７６号公報
【特許文献２】特開２００２−１０１４５７号公報
【発明の開示】
【発明が解決しようとする課題】
【０００４】
しかしながら、特許文献１においては、画面が十分に大きく同時に多数の情報を表示できるような街頭モニタであっても、一人の利用者からの入力のみを受け付けるため、同時に複数の携帯端末から利用できないという課題を有していた。
【０００５】
たとえ、単に同時に複数の利用者からの入力を受け付けることができても、単に表示するだけでは表示の混乱を招き、所望の情報を表示できない。
【０００６】
一方、特許文献２においては、単に表示機器としてデジタルテレビを用いているため、センターのサーバからの情報がデジタルテレビに蓄積されていても、携帯電話で利用することができないという課題を有していた。
【０００７】
本発明は、前記従来の課題を解決するもので、移動端末と表示機器との間で連携して、移動端末の情報を表示機器に表示し、また、表示機器に蓄積された情報を移動端末にも蓄えることができる情報システムを提供することを目的とするものである。さらに、表示機器の能力に応じて情報を表示することができる情報システムを提供することを目的とするものである。さらに、表示する情報に対して優先順位を設けることにより、同時に複数の利用者が移動端末を操作しても、混乱せずに整理して情報を表示することができる情報システムを提供することを目的とするものである。
【課題を解決するための手段】
【０００８】
前記従来の課題を解決するために、本発明の情報通信システムは、交通機関や駅に設置され近傍との通信機能を持った一つまたは複数の表示装置と、近傍との通信機能を持った一つまたは複数の移動端末とからなり、前記複数の表示装置の通信機能と前記移動端末と通信機能により前記移動端末と前記複数の表示装置との間で情報を相互にやりとりし、前記表示装置に蓄積された情報を前記移動端末に転送し、前記移動端末単独で前記情報を表示し、前記移動端末で前記情報を更新した場合には前記表示端末に更新した前記情報を転送し、前記移動端末の情報を前記複数の表示装置のうちの一つまたは複数に表示する。このことにより、移動端末の操作により複数の表示装置に対して情報を表示することができ、前記表示装置に蓄積された情報を前記移動端末で単独に表示することができる。
【０００９】
また、本発明の情報通信システムは、表示能力に応じて展開することができる情報を通信に用い、前記表示装置あるいは前記移動端末の表示能力に応じて前記情報を表示する。このことにより、表示機器の能力に応じた適切に情報表示することができる。
【００１０】
また、本発明の情報通信システムは、前記表示装置と複数の移動端末との間で通信を行う場合には、前記複数の移動端末の間にて優先順位をつけ、前記優先順位に応じて前記複数の移動端末の情報を表示する。このことにより、複数の移動端末の操作により、一つまたは複数の表示装置に対して情報を表示することができ、さらに優先順位に応じて情報が表示される。
【００１１】
また、本発明の情報通信システムにおいて、前記優先順位は前記表示装置と前記移動端末との間の距離に応じて定める。このことにより、表示装置からの距離に応じて情報優先度を付けて情報を表示することができる。
【００１２】
また、本発明の情報通信システムにおいて、前記優先順位は前記表示装置と前記移動端末との間の通信状況に応じて定める。このことにより、表示装置からの通信状況に応じて情報優先度を付けて情報を表示することができる。
【００１３】
また、本発明の情報通信システムは、情報を蓄積したサーバ装置と、近傍との通信機能を持った表示装置と、近傍との通信機能を持った移動端末と、前記サーバ装置と前記表示装置とを結合するネットワークとからなり、前記移動端末は前記表示装置を通じて前記サーバ装置に対して情報のやりとりを行う。このことにより、情報サーバに蓄積された情報を表示機器に表示することができる。さらに、情報サーバに蓄積された情報を移動端末にて表示することができる。
【００１４】
また、本発明の情報通信システムにおいて、前記移動端末は前記移動端末の移動速度の検出機能を持つ。このことにより、移動端末の移動速度を元にした情報を表示機器に転送し、それに応じた情報を表示することができる。
【００１５】
また、本発明の情報通信システムは、前記移動速度をもとに前記サーバ装置からの情報を優先付けして表示する。このことにより、移動速度を元にした情報を優先順位を付けて表示することができる。
【００１６】
また、本発明の情報通信システムは、前記移動端末は他の移動端末との位置関係を表示する。このことにより、接近、離れてくる移動体に関する情報を移動端末や表示機器において表示することができる。
【発明の効果】
【００１７】
本発明の情報通信システムによれば、複数の移動端末と、複数の表示装置に間で相互に情報のやりとりを行い、情報を表示装置に表示することができ、さらに移動端末と複数の表示装置の間の距離に応じた情報の優先順位が付けられる。また、移動端末の移動情報を用いて情報を表示することができ、さらに、移動端末間の接近に関した情報を表示することができる。
【００１８】
さらに、複数の移動端末間の情報を表示装置を経由して相互に更新することができる。移動端末間に優先度を設けるとで、情報更新に不整合が生じないようにすることができる。
【発明を実施するための最良の形態】
【００１９】
以下本発明の実施の形態について、図面を参照しながら説明する。
【００２０】
（実施の形態１）
図１は、本発明の実施の形態１における情報通信システムの構成を表す模式図である。図１において１０１、１０２は表示装置、１０３、１０４は移動端末、１０５は情報サーバ装置である。
【００２１】
表示装置１０１は、交通機関や駅に設置された端末であり、表示装置が設置されている地域に関する情報を保存している。例えば、地域の地図情報、建物情報、交通情報などである。これらの情報は、ハードディスクやＲＯＭ、ＤＶＤ−ＲＯＭ、ＣＤ−ＲＯＭなどの記録メディアに蓄積されている。また、これら情報は表示装置１０１にネットワークなどの手段を通じて、情報サーバ装置１０５などから取得しても構わない。さらに、表示装置１０１は、限られた範囲で有効な近傍との通信機能を持つ。例えば、この通信機能として、ブルートゥースや、無線ＬＡＮ装置などの近距離無線通信機器などがある。
【００２２】
表示装置１０１は、情報を図３に示すような形式で格納する。つまり、図３において、物体ＩＤ、種類、位置、アイコン情報、付加情報からなる物体情報と、端末ＩＤ、優先順位、アイコン色・形状、接続開始時間からなる端末情報と、端末ＩＤ、アイコン属性からなる表示情報である。
【００２３】
物体情報において、物体ＩＤは、表示装置１０１内に保持している情報を示す唯一のＩＤである。種類は、学校、会館、店舗などといった建造物の種類を区別するものである。位置は、建造物の所在地を地図上に記すために地図と重ねて合わせるためのアイコンの表示位置を表し、アイコン情報にはアイコンの形状などを表す。付加情報は、建造物に関連した情報を格納し、例えば店舗などではその取り扱い商品の価格などの情報が、歴史的建造物ではその由来、歴史説明などの情報が、交通機関であれば時刻表や経路などの情報が格納される。物体情報の付加情報には、例えば商店であれば価格情報が格納される。
【００２４】
端末情報において、端末ＩＤは表示装置１０１に接続した移動端末を唯一に識別するＩＤである。優先度は、端末情報を表示する優先度を示し、アイコン情報は移動端末自体の位置を画面上に表示するためのアイコン形状などを保持する。接続時間は移動端末が接続した開始時間を示す。
【００２５】
表示情報に置いて、端末ＩＤは端末情報における端末ＩＤと同じもので、移動端末を唯一に識別するＩＤである。物体ＩＤは、移動端末が表示するように選択した物体を示すためのＩＤで物体情報における物体ＩＤと同等である。アイコン属性は、アイコンの色や形状を保持するものである。
【００２６】
さらに、周辺地図を表示するための地形情報（図示せず）も保持する。図３はデータの保持方法の一例であり、他の表現方法もある。
【００２７】
周辺地図を表すためのデータの形式としてパラメータを媒介して線や面を表現するパラメトリック形式のものを用いる。例えばベジエ曲線・曲面やＮＵＲＢＳ曲線・曲面などである。通信の際には、これら曲線・曲面を表すために必要な制御点や展開区間やノットなどの最低限の情報を転送する。表示装置１０１や移動端末１０３はこのデータを受け取り展開して表示する。表示装置１０１や移動端末１０３は、その時点での表示情報量を監視しており、その能力に応じてパラメータ生成の密度を調整することで、好適な表示を行う。なお、多角形データとして保持しても良い。この場合には、転送するデータについてパラメトリック形式であるか多角形形式であるかの区別を付与し、表示装置１０１や移動端末１０３は、その区別に応じて表示を行う。
【００２８】
表示装置１０２も、表示装置１０１と同様の構成である。
【００２９】
情報サーバ装置１０５は、地域情報などを蓄積し、表示装置に供給するものである。表示装置１０１からの要求に応じて、情報サーバ装置１０５から情報が供給される。情報サーバ装置１０５は、表示装置１０１の補完的な作用を行うものであり、必ずしもなくても構わない。
【００３０】
移動端末１０３は、基地局との間での無線通信を行える他に、近傍との通信機能を持つ。この近傍との通信機能は、表示装置１０１がもつ近傍との通信機能との間で通信できるものである。この近傍との通信機能は、移動端末１０３が用いる基地局との間の無線通信機能と兼用しても構わない。移動端末１０３は、図４に示すように表示装置情報を保持する。表示装置情報は、表示装置ＩＤ、優先度からなる。
【００３１】
表示装置情報において、表示装置ＩＤは、表示装置を識別するためのＩＤで、表示装置に対して唯一に割り当てられている。優先度は、表示装置を用いる場合の優先度を示す。
【００３２】
移動端末１０４は、移動端末１０３と同様の構成である。
【００３３】
移動端末１０３は、表示装置１０１と近傍との通信機能を用いて相互に通信する。移動端末１０３の操作により、表示装置１０１が保持する情報を順に選択する。表示装置１０１上に地図を表示する場合には、目的地や現在位置を示すための物体ＩＤを直接、あるいは間接的に、移動端末１０３を操作して入力する。表示装置１０１は、入力された物体ＩＤに相応する物体情報を検索し、周辺地図上に重ねて物体のアイコンを表示する。例えば、表示装置１０１で表示される案内を引き出すためのメニュー表示や操作方法などと同等なものであったり、メニューに対してＩＤや番号を割り付けて、これを移動端末の数字キーを用いて入力し、表示装置１０１に伝達えても構わない。
【００３４】
移動端末１０３の処理の流れを図２を参照しながら説明する。移動端末１０３は、表示装置１０１と通信ができれば、表示装置情報に新たな表示装置１０１に関する項目を追加（２１０）する。さらに、移動端末１０３と表示装置１０１との間の距離や接続時間から表示装置優先度を更新（２１１）する。この処理を繰り返す。この繰り返しの最中に、他の表示装置が近傍との通信可能な範囲に見つかったりすれば、表示装置情報に対して、新たな表示装置に関する項目が追加される。近傍との通信可能な範囲から表示装置が離れれば、該当する表示装置に対する表示項目を削除する。
【００３５】
移動端末１０３を操作して目的地の建物について詳しい情報を表示するように指示されれば、物体情報の付加情報を抽出し、表示装置１０１の画面上に表示する。
【００３６】
表示装置１０１は、移動端末との接続がなされた場合には、その保持する端末情報に対して、端末ＩＤ、優先順位、アイコン色・形状、接続開始した時間を保持する。端末ＩＤは移動端末を唯一に区別できるものであり、接続された順番に設定しても構わないし、移動端末にその固有ＩＤを問い合わせても構わない。
【００３７】
表示装置１０１の処理の流れを図２を参照しながら説明する。表示装置１０１は、移動端末１０３と通信ができれば端末情報を更新する（２０１）。移動端末１０３との間の距離や、移動端末１０３が表示装置１０１に接続した時間などをもとに、移動端末の優先度を更新する（２０２）。移動端末１０３を操作して、表示する物体が選択、更新された場合には、表示情報を更新する（２０３）。移動端末１０３や物体を表示装置１０１の上に表示する際には、物体ＩＤを用いて物体情報を検索し、選択された物体を、位置に相当する箇所にアイコン情報に応じたアイコンを表示する。アイコンは、図面上で表すための記号であり、地図記号や、建物である場合にはそれを撮影した写真であったり、デフォルメした形状あっても構わない。
【００３８】
移動端末１０３は、表示装置１０１との通信を終了するまでに、表示装置１０１に蓄えられたものを移動端末１０３に蓄えても構わず、表示装置１０１との通信ができない場合に、その蓄えれられた情報を参照することができるようにする。例えば、経路を示した地図などを移動端末に蓄えることで、地図を参照しながら目的地まで移動することができるし、交通情報を参照しながら移動することができる。
【００３９】
移動端末１０３は、その保持している情報が表示装置１０１の内容よりも新しい場合には、その情報を表示装置１０１に対して転送する。一方、表示装置１０１の内容の方が移動端末１０３よりも新しい場合には、表示装置１０１の内容が転送される。この転送は、移動端末１０３を用いて明示的に指示しても構わず、あるいは、内容の差異が判明した際に自動的に行っても構わない。
【００４０】
移動端末１０３は、表示装置１０１との近傍との通信ができなくなれば、表示装置１０１から取得した情報を移動端末１０３から自動的に削除しても構わない。削除する時期は、近傍との通信ができなくなれば即時に削除しても構わず、あるいは、近傍との通信ができなくなってから一定の時間が経て削除しても構わない。この一定の時間は、表示装置１０１から取得しても構わず、あるいは移動端末１０３における入力手段で設定しても構わない。
【００４１】
（複数の移動端末との接続）
移動端末１０４が、表示装置１０１が近傍と通信できる範囲に加わる場合を説明する。表示装置１０１は、端末情報を更新する（２０１）。既に移動端末１０３が近傍に含まれていれば、表示装置１０１は移動端末１０３と１０４の端末情報を保持する。移動端末１０４の操作により、物体ＩＤを受け取った表示装置１０１は、既に移動端末１０３により指示された目的地が表示されている場合には、これらに加えて移動端末１０４で指示された目的地を表示する。図５（ａ）では、表示装置１０１に移動端末１０３で指示された物体５０２が表示されている様子を表し、さらに、図５（ｂ）では、移動端末１０４で指示された物体５０３が追加されている様子を表す。図５（ｂ）のように、追加されたものはアイコンの色の違いをハッチングで示している。両図において５０１は現在位置を示すアイコンである。
【００４２】
この際に、移動端末１０４にて指示された目的地については、アイコンの色や大きさ、形状などは、移動端末１０３で指示された目的地のアイコンの色や形状とは異なるものを用いる。表示装置１０１は、アイコンの色や形状についていくつかを保持しており、接続される端末が増加するに従い順次色や形状を変更して描画する。さらに、移動端末１０４には目的地のアイコンの形状や色などを通知する。この転送には、アイコンの形状の画像を転送してもよく、文字で記しても構わない。あるいは、表示装置１０１上にアイコン番号とアイコンを対応づけたものを表示しておき、その番号を通知しても構わない。移動端末１０３については、目的地のアイコンの形状や色などを、通知しても、しなくても構わないが、以前の状態と変更する場合には、移動端末１０４と同様に移動端末１０３に通知する。また、移動端末１０３からの指示で表示していた地図に、移動端末１０４で示された目的地が表示できない場合には、地図の縮尺や、表示範囲を変更することにより同時に表示する。移動端末１０４が表示装置１０１に接続された際にも、表示装置１０１は移動端末１０４の端末情報を保持する。
【００４３】
（優先順位を持った表示）
表示装置１０１は、端末情報の優先度を更新する。優先度は、移動端末の接続時間や、移動端末との距離をもとに算出する。移動端末との距離は、近傍との通信機能における電波強度や伝送エラーの発生率を用いる。位置検出する機能がある移動端末であればその位置を用いて距離を算出する。近傍との通信機能が電波強度を検出することができればその電波強度を用いる。電波強度が弱いものや伝送エラーが高い移動端末については、遠方と判断し、電波強度が強いものや伝送エラーが低い移動端末については、近くにあるものと判断する。優先度は、近くにあるものや接続時間が短いものが高いものとして判断し、情報を優先的に表示する。例えば、アイコン色・形状を目立つものにしたり、情報を上から順に表示したりする。近くにあるものについては、接続時間が長ければ優先度が低くなるものとする。また、無操作時間が長ければ、優先度を低くする。バスや電車などの時刻などの交通情報については、優先度が高いものから順に上から表示する。
【００４４】
（移動端末の接近）
移動端末１０３を用いて、表示装置１０１において他の移動端末を搭載しているものが選択された場合、目的とする移動端末が表示装置１０１に接近した場合、接近したことを画面に表示する。さらに、移動端末１０３に対しても、接近したことを示す通知を行う。例えば、バスに搭載した移動端末を表示装置が検知し、表示装置１０１に対して他の移動端末１０３からこのバスを利用するような情報が伝わっている場合には、表示装置１０１がバスの接近を示し、さらに移動端末１０３に対しても、バスの接近を知らせる。
【００４５】
（複数の表示装置とのやりとり）
移動端末１０３は、表示装置１０１との接続が成り立った場合に、表示装置ＩＤと、優先度を設定する。表示装置ＩＤは、近傍との通信機能により表示装置１０１に対して表示装置固有のＩＤを問い合わせることにより得る。優先度は、表示装置１０１における優先度と同様に、電波強度や伝送エラー、自身の位置を表示装置１０１が保持していれば、その情報から得る。
【００４６】
移動端末１０３は、近傍との通信機能で通信できる範囲に複数の表示装置が存在すれば、その優先度の高い方に対して主に通信を行う。つまり、電波強度が強く伝送エラーが少ない表示装置に対して、情報のやりとりを行う。
【００４７】
移動端末１０３の近傍に表示装置１０１と表示装置１０２が存在すれば、その優先度が高い方が選ばれる。さらに、移動端末１０３が移動した際に、優先度が変化しても、優先度の高い方を用いて表示する。移動端末１０３が移動する際に、優先度の許容限度を設定することで、優先度が許容範囲内であれば、優先度が下がっても表示装置１０１を用いて表示し続ける。
【００４８】
表示装置１０１は、複数の移動端末が範囲にある場合に、その優先度を用いて表示装置１０１の内容を更新することで、移動端末から同じ情報の更新要求が発生した場合には、優先度の高い方の情報を更新する。
【００４９】
移動端末１０３が複数の表示装置との間で近傍通信可能な場合には、優先度の高い表示装置からの情報更新を優先する。
【００５０】
以上のように本発明によれば、近傍との通信機能を持った一つまたは複数の表示装置と、近傍との通信機能を持った移動端末とからなり、前記複数の表示装置の通信機能と前記移動端末と通信機能により前記移動端末と前記複数の表示装置との間で情報を相互にやりとりし、前記移動端末の情報を前記複数の表示装置のうちの一つまたは複数に表示することにより、表示装置が一つの場合でも複数の利用者が情報を表示することができ、さらに、複数の表示装置が合った場合でも近くにある表示装置に情報を表示することができる。
【００５１】
さらに、前記複数の移動端末の間にて優先順位をつけ、前記優先順位に応じて前記複数の移動端末の情報を表示することにより、複数の利用者が一つの表示装置を共有していても知らされた優先度に応じた情報を見ることで、利用者の必要とする情報を知ることができる。
【００５２】
さらに、前記優先順位は前記表示装置と前記移動端末との間の距離に応じて定めることにより、表示装置に近い移動端末の情報が優先的に表示されるため、離れた場所にある移動端末による影響を除くことができ、利用者の必要とする情報を知ることができる。
【００５３】
さらに、情報を蓄積したサーバ装置と前記表示装置とを結合するネットワークとからなることで、地域情報のみならず広域情報を得ることができる。
【００５４】
さらに、前記移動端末は他の移動端末との位置関係を表示することにより、移動端末を搭載した機器の接近を知ることができる。
【００５５】
なお、本実施の形態では１０１、１０２の複数の表示装置と、１０３、１０４の複数の移動端末を例に説明したが、これらがそれぞれ一つ、あるいは、いずれか一方が一つとなっていても構わない。さらに、情報サーバ装置１０５を設けているが、なくても構わず、複数存在しても構わない。また、１０１、１０２の表示装置が直接ネットワークで接続されていても構わず、接続されていても構わない。また、情報サーバ装置１０５は、表示装置で共有されていても構わず、共有されていなくても構わなず、それぞれの表示装置に対して情報サーバ装置が設けられいても構わない。さらに、本実施の形態では表示装置１０１、移動端末１０３を主に用いて説明したが、表示装置１０２や移動端末１０４に対しても同様である。
【００５６】
（実施の形態２）
以下、他の実施の形態について図１を用いて説明する。既に、実施の形態１において説明したことについては以下では省略をする。
【００５７】
（移動量の利用）
移動端末１０３は、自身の移動量を時間とともに常時記録する。さらに、表示装置１０１や表示装置１０１を通じて得たサーバ装置１０５に格納された情報を保持する。
【００５８】
移動端末１０３は、その移動量を表示装置１０１に対して通知することにより、表示する情報の優先度を変える。さらには、移動端末１０３に保持した情報とを用いて、情報に関する注意喚起を行う。
【００５９】
移動端末１０３において蓄積された移動量を元に、目的地までの所要時間を算出し、表示装置１０１にて表示する。例えば、所要時間が目的地必着時間よりも要する場合には、急ぐことを喚起する表示を行う。また、交通機関に関する情報であれば、目的地までに利用しなければならない交通機関の発車時刻や便数に応じて、急ぐべきか、余裕があるのかを喚起する表示を行う。
【００６０】
図６には、交通情報を表示している例を示す。（ａ）では、複数の交通便が利用できることを示しているが、（ｂ）では一つの便しか利用できないことを示す。（ｂ）においては、最終分であることと、残り時間が少ないため、急ぐことを喚起している。「最終便です。急いで下さい。」はメッセージの例であり、他の文面でももちろん構わない。余裕があること、急ぐことなどの状況に応じた注意を喚起するものとする。
【００６１】
さらに、前記移動端末は前記移動端末の移動速度の検出機能を持つことにより、移動速度に基づいた情報の優先度を変更して表示することができる。
【００６２】
以上のように本発明によれば、近傍との通信機能を持った一つまたは複数の表示装置と、近傍との通信機能を持った移動端末とからなり、前記複数の表示装置の通信機能と前記移動端末と通信機能により前記移動端末と前記複数の表示装置との間で情報を相互にやりとりし、前記移動端末の情報を前記複数の表示装置のうちの一つまたは複数に表示し、移動端末は前記移動端末の移動速度の検出機能を持ち、移動速度をもとに前記サーバ装置からの情報を優先付けして表示し、移動端末は他の移動端末との位置関係を表示することにより、移動端末を搭載した他の機器の接近を知ることができ、利用者に対して注意喚起をすることができる。
【産業上の利用可能性】
【００６３】
本発明にかかる情報通信システムは、近傍との通信機能を持った一つまたは複数の表示装置と、近傍との通信機能を持った移動端末とからなり、前記複数の表示装置の通信機能と前記移動端末と通信機能により前記移動端末と前記複数の表示装置との間で情報を相互にやりとりし、前記移動端末の情報を前記複数の表示装置のうちの一つまたは複数に表示する移動端末と表示装置する機能を有しており、街頭の案内板、室内の案内システム等として有用である。また移動通信端末の一つを物品に固定することにより図書の蔵書検索や、倉庫内の在庫検索等の用途にも応用できる。
【図面の簡単な説明】
【００６４】
【図１】本発明の実施の形態１における情報通信システムの概念を表す図
【図２】本発明の実施の形態２における情報通信システムの表示装置、移動端末における処理の流れを表す図
【図３】表示装置が保持する情報の概要を表す図
【図４】移動端末が保持する情報の概要を表す図
【図５】表示装置上に示された目的地アイコンの概要を表す図
【図６】注意を喚起する画面の例を表す図
【符号の説明】
【００６５】
１０１    表示装置
１０２    表示装置
１０３    移動端末
１０４    移動端末
１０５    情報サーバ装置
５０１，５０２，５０３    物体
【図１】
2005332018.tif 000003
【図２】
2005332018.tif 000004
【図３】
2005332018.tif 000005
【図４】
2005332018.tif 000006
【図５】
2005332018.tif 000007
【図６】
2005332018.tif 000008